(57)【要約】【課題】仏教経典の電子画像中の文字領域を明確に特定して、経典画像とテキストとの対応付けを効率よく行い得るようにすることにある。【解決手段】仏教経典の電子画像をその仏教経典のテキストと対応付けするために、前記電子画像中の文字領域を特定するに際し、前記仏教経典の電子画像１を、その仏教経典に書かれた文字が判別可能なように白黒二値画像３とし、前記二値画像３中の前記書かれた文字を包含する矩形領域を文字領域として抽出し、前記抽出した文字領域を、その文字領域の位置と寸法との少なくとも一方で特定して、文字領域情報Ｄ２とすることを特徴とする、仏教経典電子画像中の文字領域の特定方法である。【選択図】図１
2007011581.tif 000002
【特許請求の範囲】
【請求項１】
仏教経典の電子画像をその仏教経典のテキストと対応付けするために、前記電子画像中の文字領域を特定するに際し、
前記仏教経典の電子画像を、その仏教経典に書かれた文字が判別可能なように白黒に二値化し、
前記二値化した電子画像中の前記書かれた文字を包含する矩形領域を文字領域として抽出し、
前記抽出した文字領域を、その文字領域の位置と寸法との少なくとも一方で特定することを特徴とする、仏教経典電子画像中の文字領域の特定方法。
【請求項２】
前記文字領域を抽出するに際し、前記二値化した電子画像を左右方向に複数に分割して、上下方向に延在する列を左右方向に複数並べたものとするとともに、前記二値化した電子画像を上下方向に複数に分割して、左右方向に延在する行を上下方向に複数並べたものとし、
先ず、前記複数の列の各々の画像中の黒い点の数を数え、
その数えた黒い点の数を所定の列用閾値と比較して、その比較結果に基づき文字のある列か否かを判断し、
次いで、前記文字のある列について、前記複数の行の各々の画像中の黒い点の数を数え、
その数えた黒い点の数を所定の行用閾値と比較して、その比較結果に基づき前記文字領域か否かを判断することを特徴とする、請求項１記載の仏教経典電子画像中の文字領域の特定方法。
【請求項３】
前記仏教経典の電子画像が少なくとも部分的に重なって複数枚ある場合に、
隣り合う前記電子画像について、前記文字領域の位置および寸法の少なくとも一方同士を対比して、それらの文字領域の位置および寸法の少なくとも一方同士の間の誤差が最も小さい文字領域同士を互いに同一のものであると判断し、
前記互いに同一と判断した文字領域同士を重ね合わせるものとして前記文字領域を特定することを特徴とする、請求項１または２記載の仏教経典電子画像中の文字領域の特定方法。
【請求項４】
仏教経典の電子画像とその仏教経典のテキストとを一緒に画面上に表示するとともに、
請求項１から３までの何れか記載の仏教経典電子画像中の文字領域の特定方法によって特定した前記仏教経典の文字領域と、前記仏教経典のテキストとの対応付けデータに基づき、前記仏教経典の電子画像と前記テキストとの一方の特定された箇所に対応する他方の箇所を特定して表示することを特徴とする、仏教経典とテキストとの対応付け方法。
【請求項５】
仏教経典の電子画像とその仏教経典のテキストとを別個に画面上に表示するとともに、
請求項１から３までの何れか記載の仏教経典電子画像中の文字領域の特定方法によって特定した前記仏教経典の文字領域と、前記仏教経典のテキストとの対応付けデータに基づき、前記仏教経典の電子画像と前記テキストとの一方の特定された箇所に対応する他方の箇所を特定して表示することを特徴とする、仏教経典とテキストとの対応付け方法。
【発明の詳細な説明】
【技術分野】
【０００１】
この発明は、仏教経典の電子画像中の文字領域を特定し、その文字領域をその仏教経典のテキスト（判読した文字）と対応付けして、仏教経典の視認性と検索性とを共に高める方法に関するものである。
【背景技術】
【０００２】
大正新脩大蔵経は、漢訳の仏教経典（仏典）の最高峰に位置づけられて、仏教学の多くの研究者が参考にしており、その仏典のテキスト（仏典から判読した文字）は電子データ化されて広く公開されている。
【０００３】
その一方、本願発明者は、大阪府の天野山金剛寺所収の同経典（金剛寺−切経）を経典画像として電子化する機会を得た。ただし、電子画像としての経典は、パソコン等で表示した場合に視認性に優れているが、その多量の毛筆手書き文字からの特定の文字の検索は困難である。
【０００４】
ところで、ＯＣＲ（光学式文字読取装置）を用いた文字認識手法は多数存在するが、印刷された文字を対象としたものがほとんどであり、何れも、毛筆手書きの仏教経典に適用してもうまくゆかず、実際に確認した限りでは大部分の文字の認識に失敗した。
【０００５】
また、木簡を対象とした文字認識支援や文字データベース構築の試みもあるが（非特許文献１、非特許文献２参照）、木簡は１対象当たり数文字〜数十文字であり、１対象あたり数千〜数万文字となる仏教経典では、別のアプローチが必要とされる。
【非特許文献１】平成１５年１２月１７日配布の（社）情報処理学会・人文科学とコンピュータ研究会主催の人文科学とコンピュータシンポジウム論文集（情報処理学会シンポジウムシリーズＶｏｌ．２００３，Ｎｏ．２１）中第２２７〜２３４頁の論文「歴史文献のための電子スクラップブックシステムの設計」、石川正敏他著
【非特許文献２】平成１６年１２月９日配布の（社）情報処理学会・人文科学とコンピュータ研究会主催の人文科学とコンピュータシンポジウム論文集（情報処理学会シンポジウムシリーズＶｏｌ．２００４，Ｎｏ．１７）「デジタルアーカイブ」中第２１５〜２２０頁の論文「木簡解読支援システムの基本設計と試作」、耒代誠仁他著
【発明の開示】
【発明が解決しようとする課題】
【０００６】
本発明は、仏教経典の画像中の毛筆手書き文字と、その仏教経典のテキストとの対応付けひいては仏教経典の画像の利用を容易にすることを課題としてなされたものである。
【課題を解決するための手段】
【０００７】
請求項１記載の本発明の仏教経典電子画像中の文字領域の特定方法は、仏教経典の電子画像をその仏教経典のテキストと対応付けするために、前記電子画像中の文字領域を特定するに際し、前記仏教経典の電子画像を、その仏教経典に書かれた文字が判別可能なように白黒に二値化し、前記二値化した電子画像中の前記書かれた文字を実質的に包含する矩形領域を文字領域として抽出し、前記抽出した文字領域を、その文字領域の位置と寸法との少なくとも一方で特定することを特徴とするものである。
【０００８】
また請求項４記載の本発明の仏教経典とテキストとの対応付け方法は、仏教経典の電子画像とその仏教経典のテキストとを一緒に画面上に表示するとともに、請求項１から３までの何れか記載の仏教経典電子画像中の文字領域の特定方法によって特定した前記仏教経典の文字領域と、前記仏教経典のテキストとの対応付けデータに基づき、前記仏教経典の電子画像と前記テキストとの一方の特定された箇所に対応する他方の箇所を特定して表示することを特徴とするものである。
【０００９】
一方請求項５記載の仏教経典とテキストとの対応付け方法は、仏教経典の電子画像とその仏教経典のテキストとを別個に画面上に表示するとともに、請求項１から３までの何れか記載の仏教経典電子画像中の文字領域の特定方法によって特定した前記仏教経典の文字領域と、前記仏教経典のテキストとの対応付けデータに基づき、前記仏教経典の電子画像と前記テキストとの一方の特定された箇所に対応する他方の箇所を特定して表示することを特徴とするものである。
【００１０】
ここで、上記特定した文字領域とテキストとの対応付けは、例えば人が文字領域内の文字を読んで行っても良く、あるいは、コントラストのはっきりした部分や文字が単独で読み取れる部分等の比較的判別しやすい部分については、ＯＣＲ等での文字認識手法を利用するようにしても良い。
【発明の効果】
【００１１】
上述した請求項１記載の仏教経典電子画像中の文字領域の特定方法によれば、仏教経典（仏典）の電子画像中の文字領域をその位置と寸法との少なくとも一方によって明確に特定し得て、経典画像とテキスト（仏典から判読した文字）との対応付けを効率よく行うことができる。特に、数万文字あるテキストの中央付近の１文字が仏典画像のどこにあるかを調べるとき、本発明の方法を用いた検索システムがない場合には、およその目星をつけて画像を探し、その画像の中から文字を見つけ、見当たらなかったら前後の画像を調べ直さなければならなかったが、本発明の方法を用いれば、画像とテキストとの対応が取れるので、テキストの所望の１文字と対応する画像およびその画像中の文字の位置を容易に知ることができる。
【００１２】
なお、この発明の仏教経典電子画像中の文字領域の特定方法においては請求項２に記載のように、前記文字領域を抽出するに際し、前記二値化した電子画像を左右方向に複数に分割して、上下方向に延在する列を左右方向に複数並べたものとするとともに、前記二値化した電子画像を上下方向に複数に分割して、左右方向に延在する行を上下方向に複数並べたものとし、先ず、前記複数の列の各々の画像中の黒い点の数を数え、その数えた黒い点の数を所定の列用閾値と比較して、その比較結果に基づき文字のある列か否かを判断し、次いで、前記文字のある列について、前記複数の行の各々の画像中の黒い点の数を数え、その数えた黒い点の数を所定の行用閾値と比較して、その比較結果に基づき前記文字領域か否かを判断することとしても良く、このようにすると、電子画像を上下方向と左右方向とにのみ走査すれば足りることから、処理の高速化が図れるので好ましい。
【００１３】
また、この発明の仏教経典電子画像中の文字領域の特定方法においては請求項３に記載のように、前記仏教経典の電子画像が少なくとも部分的に重なって複数枚ある場合に、隣り合う前記電子画像について、前記文字領域の位置および寸法の少なくとも一方同士を対比して、それらの文字領域の位置および寸法の少なくとも一方同士の間の誤差が最も小さい文字領域同士を互いに同一のものであると判断し、前記互いに同一と判断した文字領域同士を重ね合わせるものとして前記文字領域を特定することとしても良く、このようにすれば、仏教経典の電子画像を撮影する際に撮影範囲が重ならずかつ離れないように厳密に範囲を区切って撮影するのでなく、撮影範囲を適当にオーバーラップさせて撮影しても、その撮影時のオーバーラップ分を重ね合わせて文字領域を特定するので、仏教経典の電子画像の撮影作業を容易なものとすることができる。
【００１４】
そして、上述した請求項４記載のこの発明の仏教経典とテキストとの対応付け方法によれば、仏教経典の電子画像とテキストとの互いに対応する箇所を同時に視認することができるので、仏教経典の画像を容易にテキストと対応させて利用することができ、仏教経典の視認性と検索性とを共に高めることができる。
【００１５】
また、上述した請求項５記載のこの発明の仏教経典とテキストとの対応付け方法によれば、表示画面が比較的狭い場合でも仏教経典の電子画像をテキストと対応させて利用することができ、仏教経典の視認性と検索性とを共に高めることができる。
【発明を実施するための最良の形態】
【００１６】
以下、本発明の実施の形態を実施例によって、図面に基づき詳細に説明する。ここに、図１は、この発明の仏教経典電子画像中の文字領域の特定方法の一実施例およびその実施例を用いたこの発明の仏教経典とテキストとの対応付け方法の一実施例の実施のための画像処理プログラムの構成を示す説明図、図２は、仏教経典の電子画像としての大阪府の天野山金剛寺所収の金剛寺−切経のデジタルカメラ撮影画像を示す説明図、図３は、そのデジタルカメラ撮影画像からのくり抜き画像を示す説明図、図４は、そのくり抜き画像から得た白黒二値画像を示す説明図、図５は、その白黒二値画像から経過画像Ａを得る前段階の画像を示す説明図、図６は、その前段階画像から得た経過画像Ａを示す説明図、図７は、その経過画像Ａから得た文字領域情報に基づき先の白黒二値画像を重ね合わせた経過画像Ｂを示す説明図、そして図８および図９は、その経過画像Ｂにより検証した重ね合わせ情報に基づき上記くり抜き画像を重ね合わせて作成した経過画像Ｃの互いに隣り合う部分を、数行重複させてそれぞれ示す説明図である。
【００１７】
上記実施例の仏教経典電子画像中の文字領域の特定方法は、図示しない通常のパーソナルコンピュータが、あらかじめ与えられた図１に示す如き画像処理を行う画像処理プログラムを実行することで実施し得るものであり、この図１に示す画像処理では先ず、図２に最初の部分を示す如き、仏教経典の電子画像としての大阪府の天野山金剛寺所収の金剛寺−切経をデジタルカメラで撮影した、互いに隣り合う撮影領域を部分的に（例えば文字行で３〜５行程度）オーバーラップさせた複数枚のカラー電子画像１（図２ではモノクロ画像で示す）のデータを準備し、次いでステップＳ１で、各電子画像１に対しその画像の周辺部を除去して内側の文字のある部分を取り出すように、ユーザが適宜範囲指定して通常の画像処理の一つであるくり抜き処理をして、図３に示す如きくり抜き画像２を得る。なお、各電子画像１についてのくり抜き処理範囲等を示すくり抜き情報Ｄ１は、ステップＳ５の経過出力によって、上記パーソナルコンピュータの画面に随時表示するとともに、そのパーソナルコンピュータのハードディスク等に設定したデータベースに適宜記憶する。
【００１８】
次いでここではステップＳ２で、それらのくり抜き画像２をそれぞれ、例えば２５６階層のモノクロ画像に変換し、それらのモノクロ画像をそれぞれ、経典の手書き毛筆文字の輪郭ができるだけ良く判るように適宜設定した二値化用閾値を用いて白黒に二値化して、図４に示す如き白黒二値画像３を得る。
【００１９】
次いでここではステップＳ３で、それらの白黒二値画像３の各々について、左右方向に例えば一または複数画素毎に区切ることで複数に分割して、上下方向に延在する列を左右方向に複数並べたものとするとともに、上下方向に例えば一または複数画素毎に区切ることで複数に分割して、左右方向に延在する行を上下方向に複数並べたものとし、先ず、上記複数の列の各々の画像中の黒い点の数を数え、その数えた黒い点の数を、適宜設定した列用閾値と比較して、その列用閾値より大きい場合は文字のある列、そうでない場合は文字のない列と判断する。
【００２０】
例えば図示例では、横２０００×縦１３００画素の白黒二値画像３を左右方向に一画素毎に区切ることで２０００列に分割するとともに、列用閾値（第１の列用閾値）として縦画素数１３００を５０で割った値である２６を設定して、各列毎にその２６画素を超える画素数分黒い画素があればその列を文字のある列であると仮に判断し、その文字のある列をそれが左右方向に連続する限り一つの文字のある列と判断する。次いで、その文字のある列でも左右方向幅が所定の列用最小幅（第２の列用閾値）、例えば図示例では横２０００画素を２００で割った１０画素と比較して、その列用最小幅より小さければ文字のない列に変更する。このようにして得た文字のある列の領域を黒くし、文字のない列の領域を白くすると、図５に示す如き前段階の画像４となる。
【００２１】
続いてここでは、上記各前段階の画像４中の上記各文字のある列について、上記複数の行の各々の画像中の黒い点の数を数え、その数えた黒い点の数を所定の行用閾値と比較して、その行用閾値より大きい場合は文字のある行、そうでない場合は文字のない行と判断する。
【００２２】
例えば図示例では、各文字のある列を上下方向に一画素毎に区切ることで１３００行に分割するとともに、行用閾値（第１の行用閾値）として、各文字のある列の幅を８で割った値、例えば列の幅が４０画素の場合は５を設定して、各行毎にその５画素を超える画素数分黒い画素があればその行を文字のある行であると判断し、その文字のある行をそれが上下方向に連続する限り一つの文字領域と判断するとともに、文字のない行もそれが上下方向に連続する限り一つの文字のない領域と仮に判断する。次いで、その文字のない領域でも上下方向高さが所定の行用最小高さ（第２の行用閾値）、例えば図示例では縦１３００画素を１３０で割った１０画素と比較して、その行用最小高さより小さければ文字領域に変更する。このようにして得た文字領域を黒くし、それ以外の領域を白くすると、図６に示す如き経過画像Ａの画像５となる。なお、このようにして得た文字領域では、画像中の複数の文字が繋がっていて一つの文字領域に含まれる場合があり、また画像中の一つの文字が複数の文字領域に別れて含まれる場合もある。
【００２３】
そしてここでは、上記のようにしてに認識した各経過画像Ａ中の各文字領域（図６中の黒い矩形部分）を例えば、その経過画像Ａの画像ファイル名に加えて、その文字領域の例えば左上端の画素についての、経過画像Ａの左端からの位置（Ｘ座標）と、経過画像Ａの上端からの位置（Ｙ座標）と、その文字領域の左右幅寸法と、その文字領域の上下高さ寸法との、四つの整数値によって特定する。なお、各経過画像Ａ（画像５）中の各文字領域を特定する文字領域情報Ｄ２も、上記ステップＳ５の経過出力によって、上記パーソナルコンピュータの画面に随時表示するとともに、そのパーソナルコンピュータのハードディスク等に設定したデータベースに適宜記憶する。
【００２４】
次いでここではステップＳ４で、上記複数枚のカラー電子画像１に対応する複数枚の上記経過画像Ａのうち互いに隣り合う画像について、文字列（先の分割時の列とは幅が異なり縦書き文字の行に対応して上下に延在する文字領域の列）毎にその文字列に含まれる一または複数の文字領域の上下高さ寸法の値を配列（数列）にし、上記互いに隣り合う画像の文字列同士についてそれらの配列同士を対比して、それらの文字領域の上下高さ寸法配列同士の間の誤差がもっとも小さい文字列同士について、それらの文字領域同士ひいてはそれらの文字領域を含む文字列同士が互いに同一のものであると判断し、それら互いに同一と判断した文字列の互いに同一と判断した文字領域同士を重ね合わせるものとして文字領域を特定する。このようにして文字領域を特定して、互いに同一と判断した文字領域同士を重ね合わせるように互いに隣り合う経過画像Ａ同士を重ね合わせると、図７にその一部を示す如き、経典全体についての連続した経過画像Ｂの画像６となる。ここで、同図中矢印で示す接合部は、互いに隣り合う経過画像Ａ同士の重なり合う部分を除いた境目を示している。
【００２５】
なお、上記複数枚のカラー電子画像１に対応する複数枚の上記経過画像Ａのうちのそれぞれの互いに隣り合う経過画像Ａ同士の互いに重ね合わせる文字列を示す重ね合わせ情報Ｄ３も、上記ステップＳ５の経過出力によって、上記パーソナルコンピュータの画面に随時表示するとともに、そのパーソナルコンピュータのハードディスク等に設定したデータベースに適宜記憶する。
【００２６】
そしてこの重ね合わせ情報Ｄ３が、上記複数枚のカラー電子画像１に対応する複数枚の上記経過画像Ａの全てについて得られると、上記ステップＳ５の経過出力ではさらに、図８および図９にその互いに隣り合う部分について数行重複させてそれぞれ示す如き、上記複数枚のカラー電子画像１を重ね合わせ情報Ｄ３に基づき重ね合わせて経典全体について連続的に繋ぐとともにその電子画像にその経典の各文字領域の輪郭を示す矩形を重ねて表示したカラー電子画像である経過画像Ｃの画像７を、上記パーソナルコンピュータの画面に表示する（一度に表示するのはディスプレイの範囲に収まる部分である。）とともに、そのパーソナルコンピュータのハードディスク等に設定したデータベースに画像データとして記憶する。
【００２７】
このようにして仏教経典電子画像中の文字領域を特定した後、上記実施例の仏教経典とテキストとの対応付け方法では、ユーザが、その仏教経典の特定した各文字領域に包含された毛筆文字を読んで、その仏教経典の既に利用可能となっているテキスト（仏典から判読した文字）との対応付けを行い、それらの対応付けのデータを上記パーソナルコンピュータに入力して記憶させる。そしてこのパーソナルコンピュータは、あらかじめ与えられた対応付けプログラムに従って作動して、上記仏教経典の電子画像Ｃ（画像７）の一部と上記テキストの一部とを例えば上下二段に配置して一緒に、そのパーソナルコンピュータの画面上にそれぞれスクロール可能に表示するとともに、上記仏教経典の電子画像Ｃと上記テキストとの一方の任意の箇所をユーザによって特定されて入力されると、その特定された箇所に対応する他方の箇所を、上記記憶した対応付けのデータに基づき特定して表示する。
【００２８】
従って、上述した実施例の仏教経典電子画像中の文字領域の特定方法によれば、仏教経典（仏典）の電子画像１中の文字領域をその文字領域の位置と寸法とにより明確に特定し得て、経典画像１とテキスト（仏典から判読した文字）との対応付けを効率よく行うことができる。特に、数万文字あるテキストの中央付近の１文字が仏典画像のどこにあるかを調べるとき、上記実施例の方法を用いれば、経典画像１とテキストとの対応が取れるので、経典画像１の全体から、テキストの所望の１文字と対応する画像およびその画像中の文字の位置を容易に知ることができる。
【００２９】
しかも、上述した実施例の仏教経典電子画像中の文字領域の特定方法によれば、抽出した文字領域を、その文字領域を含む経過画像Ａの画像ファイル名に加えて、その文字領域の例えば左上端の画素についての、経過画像Ａの左端からの位置（Ｘ座標）と、経過画像Ａの上端からの位置（Ｙ座標）と、その文字領域の左右幅寸法と、その文字領域の上下高さ寸法との、四つの整数値によって特定することから、経典の縦書きの一行に対応する一つの文字列中の複数の文字領域については、画像ファイル名とＸ座標と左右幅寸法とが互いに同一となるので、文字領域を特定するデータをソートする際には画像ファイル名とＸ座標とＹ座標とをキーとすれば足りる。また各文字列中の複数の文字領域についてＸ座標と左右幅寸法とを共通化しているので、データベースへの格納データ量を減らすことができる。そして文字領域を特定するデータを画像ファイル名毎に全ての文字領域についてソートし、それらのデータを経典上での画像ファイルの配置順に組合せると、一巻の仏典の画像の文字領域を全て特定するデータが得られる。
【００３０】
さらに、上述した実施例の仏教経典電子画像中の文字領域の特定方法によれば、文字領域を抽出するに際し、二値化した電子画像を左右方向に複数に分割して、上下方向に延在する列を左右方向に複数並べたものとするとともに、その二値化した電子画像を上下方向にも複数に分割して、左右方向に延在する行を上下方向に複数並べたものとし、先ず、複数の列の各列の画像中の黒い点の数を数え、その数えた黒い点の数を所定の列用閾値と比較して、その列用閾値より大きい場合は文字のある列、そうでない場合は文字のない列と判断し、次いで、文字のある列について、複数の行の各行の画像中の黒い点の数を数え、その数えた黒い点の数を所定の行用閾値と比較して、その行用閾値より大きい場合は文字のある行、そうでない場合は文字のない行と判断し、文字のある行をそれが上下方向に連続する限り一つの文字領域と判断するので、電子画像としての白黒二値画像３を上下方向と左右方向とにのみ走査すれば足りることから、文字領域を認識して特定する処理の高速化を図ることができる。
【００３１】
さらに、上述した実施例の仏教経典電子画像中の文字領域の特定方法によれば、仏教経典の電子画像１が少なくとも部分的に重なって複数枚ある場合に、隣り合う電子画像１同士について、文字領域の上下高さ寸法同士（文字領域の上下高さ寸法の配列同士）を列毎に対比して、それらの文字領域の上下高さ寸法同士の間の誤差が最も小さい文字領域同士を互いに同一のものであると判断し、その互いに同一と判断した文字領域同士を重ね合わせるものとして文字領域を特定することから、仏教経典の電子画像１を撮影する際に撮影範囲が重ならずかつ離れないように厳密に範囲を区切って撮影するのでなく、撮影範囲を適当にオーバーラップさせて撮影しても、その撮影時のオーバーラップ分を重ね合わせて文字領域を特定するので、仏教経典の電子画像１の撮影作業を容易なものとすることができる。
【００３２】
そして、上述した実施例の仏教経典とテキストとの対応付け方法によれば、ユーザが、仏教経典の電子画像１を全体的に繋いだ経過画像Ｃとテキストとの互いに対応する箇所を同時に視認することができるので、仏教経典の電子画像１を容易にテキストと対応させて利用することができる。
【００３３】
以上、図示例に基づき説明したが、この発明は上述の例に限定されるものでなく、特許請求の範囲の記載の範囲内で適宜変更可能なものであり、例えば、上記実施例の仏教経典電子画像中の文字領域の特定方法によって特定した仏教経典の文字領域を、ユーザがその仏教経典のテキストと対応付けた後、仏教経典の電子画像とテキストとを別個に画面上に表示するとともに、仏教経典の電子画像とテキストとの一方の特定された箇所に対応する他方の箇所を、上記対応付けのデータに基づき特定して表示するようにしてもよく、このようにすれば、パーソナルコンピュータの表示画面が比較的狭い場合でも、仏教経典の電子画像をテキストと対応させて利用することができる。
【００３４】
また、上記実施例ではユーザが、仏教経典の文字領域をその仏教経典のテキストと対応付けているが、この発明においてはその対応付けを、例えば、コントラストのはっきりした部分や文字が単独で読み取れる部分等の比較的判別しやすい部分についてはＯＣＲ等で読み取って、画像処理の一種であるパターンマッチング等の文字認識手法を利用して行っても良い。
【産業上の利用可能性】
【００３５】
かくしてこの発明の仏教経典電子画像中の文字領域の特定方法によれば、仏教経典（仏典）の電子画像中の文字領域を明確に特定し得て、経典画像とテキスト（仏典から判読した文字）との対応付けを効率よく行うことができる。特に、数万文字あるテキストの中央付近の１文字が仏典画像のどこにあるかを調べるとき、本発明の方法を用いた検索システムがない場合には、およその目星をつけて画像を探し、その画像の中から文字を見つけ、見当たらなかったら前後の画像を調べ直さなければならなかったが、本発明の方法を用いれば、画像とテキストとの対応が取れるので、テキストの所望の１文字と対応する画像およびその画像中の文字の位置を容易に知ることができる。
【００３６】
また、上記仏教経典電子画像中の文字領域の特定方法を用いたこの発明の仏教経典とテキストとの対応付け方法によれば、仏教経典の画像をテキストと対応させて利用することができるので、仏教経典の視認性と検索性とを共に高めることができる。
【図面の簡単な説明】
【００３７】
【図１】この発明の仏教経典電子画像中の文字領域の特定方法の一実施例およびその実施例を用いたこの発明の仏教経典とテキストとの対応付け方法の一実施例の実施のための画像処理プログラムの構成を示す説明図である。
【図２】仏教経典の電子画像としての大阪府の天野山金剛寺所収の金剛寺−切経のデジタルカメラ撮影画像を示す説明図である。
【図３】上記デジタルカメラ撮影画像から得たくり抜き画像を示す説明図である。
【図４】上記くり抜き画像から得た白黒二値画像を示す説明図である。
【図５】上記白黒二値画像から経過画像Ａを得る前段階の画像を示す説明図である。
【図６】上記前段階画像から得た経過画像Ａを示す説明図である。
【図７】上記経過画像Ａから得た文字領域情報に基づき先の白黒二値画像を重ね合わせた経過画像Ｂを示す説明図である。
【図８】上記経過画像Ｂにより検証した重ね合わせ情報に基づき上記くり抜き画像を重ね合わせて作成した経過画像Ｃの一部を示す説明図である。
【図９】上記経過画像Ｂにより検証した重ね合わせ情報に基づき上記くり抜き画像を重ね合わせて作成した経過画像Ｃの図８と隣り合う部分を示す説明図である。
【符号の説明】
【００３８】
１  カラー電子画像
２  くり抜き画像
３  白黒二値画像
４  前段階の画像
５  経過画像Ａ
６  経過画像Ｂ
７  経過画像Ｃ
Ｄ１  くり抜き情報
Ｄ２  文字領域情報
Ｄ３  重ね合わせ情報
【図１】
2007011581.tif 000003
【図２】
2007011581.tif 000004
【図３】
2007011581.tif 000005
【図４】
2007011581.tif 000006
【図５】
2007011581.tif 000007
【図６】
2007011581.tif 000008
【図７】
2007011581.tif 000009
【図８】
2007011581.tif 000010
【図９】
2007011581.tif 000011